(57)【特許請求の範囲】
【請求項１】
地盤内に連続地中壁を設ける工程と、
前記連続地中壁の内部を掘削する工程と、
前記連続地中壁内部に逆止弁を有する底版を設ける工程と、
を具備し、
前記連続地中壁と前記底版とにより、地下水が前記逆止弁を介して内部に流入する地下貯留構造物を形成することを特徴とする地下貯留構造物の構築方法。
【請求項２】
地盤内に設けられた連続地中壁と、
前記連続地中壁内部が掘削され、前記連続地中壁内部に設けられる逆止弁を有する底版と、
を具備し、
地下水が前記逆止弁を介して内部に流入することを特徴とする地下貯留構造物。
【請求項３】
下水道に連結されることを特徴とする請求項２記載の地下貯留構造物。
【請求項４】
前記連続地中壁内部に更に側壁が設けられることを特徴とする請求項２記載の地下貯留構造物。
【発明の詳細な説明】
【０００１】
【発明の属する技術分野】
本発明は、連続地中壁を側壁として使用する地下貯留構造物の構築方法および地下貯留構造物に関するものである。
【０００２】
【従来の技術】
従来、地下式調整池等の地下貯留構造物は、連続地中壁等を山留め部材として構築し、その内部を掘削した後、本体を、現場で打設するか、あるいは、プレキャスト部材を用いて構築している。この場合、地下水の浮力による構造物の浮き上がりには、構造物や覆土等の重量で対応している。また、地盤の支持力不足に対しては、地盤改良を行うか、杭基礎を用いている。
【０００３】
【発明が解決しようとする課題】
しかしながら、構造物の自重で浮力に抵抗するには、構造物の構成部材を厚くする必要があり、構築費用が高くなる。また、地下水位に対する水深を浅くし、構造物の底面積を広く取って容積を確保する方法があるが、広い用地が必要となる。
【０００４】
本発明は、このような問題に鑑みてなわれたもので、その目的とするところは、部材厚が薄く、必要用地が狭く、経済性に優れた地下貯留構造物の構築方法および地下貯留構造物を提供することにある。
【０００５】
【課題を解決するための手段】
前述した目的を達成するための第１の発明は、地盤内に連続地中壁を設ける工程と、前記連続地中壁の内部を掘削する工程と、前記連続地中壁内部に逆止弁を有する底版を設ける工程と、を具備し、前記連続地中壁と前記底版とにより地下貯留構造物を形成することを特徴とする地下貯留構造物の構築方法である。
第１の発明では、地盤内に連続地中壁を設け、連続地中壁の内部を掘削した後、逆止弁を有する底版を設置し、連続地中壁と底版で地下貯留構造物を形成する。
第２の発明は、地盤内に設けられた連続地中壁と、前記連続地中壁内部が掘削され、前記連続地中壁内部に設けられる逆止弁を有する底版と、を具備することを特徴とする地下貯留構造物である。
第２の発明に係る地下貯留構造物では、通常時は逆止弁から内部に水が流入するので、底版には浮力が加わらない。
【０００６】
【課題を解決するための手段】
前述した目的を達成するための第１の発明は、地盤内に連続地中壁を設ける工程と、前記連続地中壁の内部を掘削する工程と、前記連続地中壁内部に逆止弁を有する底版を設ける工程と、を具備し、前記連続地中壁と前記底版とにより、地下水が前記逆止弁を介して内部に流入する地下貯留構造物を形成することを特徴とする地下貯留構造物の構築方法である。第１の発明では、地盤内に連続地中壁を設け、連続地中壁の内部を掘削した後、逆止弁を有する底版を設置し、連続地中壁と底版で地下貯留構造物を形成する。第２の発明は、地盤内に設けられた連続地中壁と、前記連続地中壁内部が掘削され、前記連続地中壁内部に設けられる逆止弁を有する底版と、を具備し、地下水が前記逆止弁を介して内部に流入することを特徴とする地下貯留構造物である。第２の発明に係る地下貯留構造物では、通常時は逆止弁から内部に水が流入するので、底版には浮力が加わらない。
【０００７】
溝３内にコンクリート等を打設し、連続地中壁９を形成する。そして、図２に示すように、連続地中壁９の内部をブルドーザ１１等で掘削し、掘削土１３を積んだバケット等１２をクレーン７で吊り上げて排出する。
【０００８】
図３に示すように、連続地中壁９をそのまま側壁として利用し、底部に逆止弁（図３では図示せず）を有する底版１５を形成し、流入水路工１９および階段式減勢工１７を設置する。流入水路工１９は雨水管渠工１８に連結される。洪水時等では、雨水は雨水管渠工１８から流入水路工１９および階段式減勢工１７を介して地下式調整池２０の内部に一時貯蔵される。
【０００９】
さらに、図４に示すように、支柱２１を設置し、地下式調整池２０の上部に頂版２３を形成する。そして、図５に示すように、頂版２３の上部を覆土３１で埋め戻し、地下式調整池２０を構築する。図５では、階段式水路減勢工１７、雨水管渠工１８および流入水路工１９等は図示しておらず、粘土層等の止水層３３の上に透水層３４が存在する。
【００１０】
図５に示すように、底版１５は逆止弁２４を有する。また、底版１５の下部には集水層２５が設けられる。通常時では、集水層２５に流入した地下水が、逆止弁２４を介して地下式調整池２０の内部へ流入するので、底版１５には浮力がかからなくなる。流入した地下水は、集水ピット２７に備え付けられた揚水ポンプ２９で吸い上げられ、排水パイプ３０を介して外部へ排出される。
【００１１】
洪水時等では、雨水管渠工１８の雨水が流入水路工１９、階段式減勢工１７を介して地下式調整池２０内部に貯留される。この場合、逆止弁２４の作用により地下式調整池２０内部から、地下式調整池２０の外部に向けて雨水が流出することはない。洪水が終了した段階で、地下式調整池２０内に貯留された雨水は揚水ポンプ２９により外部に排出される。
【００１２】
尚、連続地中壁９の長さは、底版１５からの地下水流入量、揚水ポンプ２９の排水能力等によって決定され、必ずしも止水層３３に到達させる必要はない。
このように、底版１５から地下水を流入させて浮力を低減することにより、底版１５や連続地中壁９の厚さを薄くすることができる。
【００１３】
尚、本発明の技術範囲は、前述した実施の形態に限られるものではない。例えば、支柱２１のない構造にしたり、頂版２３をドーム屋根とすることもできる。減勢工を、階段式減勢工１７に限らず、垂直落下式、急流工式、螺旋式とすることができる。連続地中壁９の内部に新たに側壁を構築し、連続地中壁９を側壁の一部として利用する場合もある。また、地下式調整池２０を円筒状でなく、角柱状に形成することもできる。また、本発明に係る地下貯留構造物は、地下式調整池以外にも利用することができる。
【００１４】
【発明の効果】
以上、詳細に説明したように、本発明によれば、部材厚が薄く、必要用地が狭く、経済性に優れた地下貯留構造物の構築方法および地下貯留構造物を提供できる。
【図面の簡単な説明】
【図１】連続地中壁の設置状況を示す図
【図２】連続地中壁内部の掘削状況を示す図
【図３】地下式調整池２０の施工状況を示す図
【図４】地下式調整池２０の施工状況を示す図
【図５】地下式調整池２０の立断面図
【符号の説明】
９………連続地中壁
１５………底版
１８………雨水管渠工
１９………流入水路工
２０………地下式調整池
２３………頂版
２４………逆止弁
２５………集水層
２９………揚水ポンプ
３１………覆土
３３………止水層
【図１】
0003777085.tif 000002
【図２】
0003777085.tif 000003
【図３】
0003777085.tif 000004
【図４】
0003777085.tif 000005
【図５】
0003777085.tif 000006